(57)【要約】【課題】メモリカードのコネクタへの挿脱時におけるグランド用の接片とグランド用の接続端子との接続状態を安定に保つこと。【解決手段】メモリカード１０の装着、取り外し時、仮に、グランド用の接続端子５８の第１接触部５８Ａがメモリカード１０のケース１２の斜面１２０８に当接して乗り上がった場合であっても、第２接触部５８Ｂがグランド用の第１接片２０１および第１０接片２１０に接触した状態が保持されているため、メモリカード１０の内部回路をグランド用の接続端子５８の第２接触部５８Ｂを介してグランドに接続された状態に確実に保持することができる。【選択図】図６
2006156030.tif 000002
【特許請求の範囲】
【請求項１】
メモリカードが収容されるメモリカード収容室と、前記メモリカード収容室にメモリカードを挿脱するための挿脱口と、前記挿脱する方向と直交する方向に並べられ前記メモリカード収容室に設けられ挿入されたメモリカードの複数の接片に接触可能な複数の接続端子とを備えるコネクタであって、
前記複数の接続端子は、少なくとも一つのグランド用の接続端子を含み、
前記グランド用の接続端子は、前記メモリカードのグランド用の接片に接触可能な第１接触部と第２接触部とを有し、
前記第１接触部は前記第２接触部に対して、前記メモリカードが挿脱する方向で前記挿脱口方向に偏位して配置され、
かつ、前記第１接触部は、前記グランド用の接続端子を除いたその他の接続端子が前記メモリカードの接片に接触する接触部よりも前記メモリカードが挿脱する方向で前記挿脱口方向に偏位して配置されている、
ことを特徴とするコネクタ。
【請求項２】
前記第１接触部と第２接触部は、前記メモリカードが挿脱する方向に延在する仮想の同一直線上に並べられて配置されていることを特徴とする請求項１記載のコネクタ。
【請求項３】
前記第１接触部と第２接触部は、前記メモリカードが挿脱する方向と直交する方向において異なった箇所に配置されていることを特徴とする請求項１記載のコネクタ。
【請求項４】
前記接続端子は導電性および弾性を有する端子部材により構成されており、前記第１接触部と第２接触部は、単一の端子部材に設けられていることを特徴とする請求項１記載のコネクタ。
【請求項５】
前記接続端子は導電性および弾性を有する端子部材により構成されており、前記第１接触部と第２接触部は、別々の端子部材に設けられていることを特徴とする請求項１記載のコネクタ。
【請求項６】
前記第１接触部は、前記メモリカードのグランド用の接片に向けて凸状に湾曲または屈曲されて形成されていることを特徴とする請求項１記載のコネクタ。
【請求項７】
前記グランド用の接続端子は、メモリカード収容室に取着される単一の基部と、前記基部から前記挿脱する方向と直交する方向に間隔をおき前記挿脱する方向に延在する２つの中間部とを有し、前記第１接触部と第２接触部は前記各中間部の先端に形成されていることを特徴とする請求項１記載のコネクタ。
【請求項８】
前記グランド用の接続端子は、２つの端子構成部材から構成され、一方の端子構成部材は、前記メモリカード収容室に取着される基部と、前記基部から前記挿脱する方向で前記挿脱口から離れる方向に延在する中間部とを有し、前記第１接触部は前記中間部の先端に形成され、他方の端子構成部材は、前記一方の端子部材の基部よりも前記挿脱口から離れた箇所で前記メモリカード収容室に取着される基部と、前記基部から前記挿脱する方向で前記挿脱口に近づく方向に延在する中間部とを有し、前記第２接触部は前記中間部の先端に形成されていることを特徴とする請求項１記載のコネクタ。
【請求項９】
前記複数の接続端子は、前記メモリカードの複数の仕切り壁の間の接片にそれぞれ接触可能に設けられ、前記グランド用の接続端子を除いたその他の接続端子のうちの少なくとも２つは前記仕切り壁の間の接片に対して接触可能に設けられ、前記２つの接続端子のうちの一方の接続端子は、前記接片に接触可能な第３接触部を有し、前記２つの接続端子のうちの他方の接続端子は、前記接片に接触可能で前記第３接触部よりも前記メモリカードが挿脱する方向で前記挿脱口方向に偏位して配置された第４接触部を有し、前記第１接触部は、前記メモリカードが挿脱する方向において前記第３接触部と前記第４接触部との間に配置されていることを特徴とする請求項１記載のコネクタ。
【請求項１０】
前記コネクタは、前記メモリカードを前記メモリカード収容室に挿入し前記複数の接片と前記複数の接続端子とが接続される接続位置よりも前記挿脱口から離れた奥端位置まで押し込んで手を離すと、前記接続位置に戻って該位置にロックされ、再度前記メモリカードを前記奥端位置まで押し込んで手を離すと、前記メモリカードの一部が前記挿脱口から突出された取り出し位置となるプッシュインプッシュアウト方式のコネクタであることを特徴とする請求項１記載のコネクタ。
【請求項１１】
メモリカードの隣り合う仕切り壁の間の接片に、前記メモリカードが挿脱される方向に間隔をおいて接触される２つの接続端子を有するコネクタに装着されるメモリカードであって、
前記メモリカードの接片の前記挿脱方向に沿った長さは、前記メモリカードの前記コネクタへの装着時に、前記挿脱方向において前記接続端子が接片を乗り越えない寸法で形成されている、
ことを特徴とするメモリカード。
【発明の詳細な説明】
【技術分野】
【０００１】
本発明はメモリカード用のコネクタおよびメモリカードに関する。
【背景技術】
【０００２】
メモリを構成する部品が収容されたケースと、前記ケースのコネクタへの挿入方向の先部に前記挿入方向と直交する方向に延在するように設けられた接片領域と、前記接片領域に前記挿入方向と直交する方向に並べられそれぞれ前記挿入方向に延在する複数の接片とを有するメモリカードが挿入されるコネクタが提供されている。
このようなコネクタとして、メモリカードをコネクタに装着する際には、メモリカードを挿入方向に沿ってコネクタに押し込む（プッシュイン）ことでメモリカードの接片とコネクタの接続端子を接続させた状態でメモリカードをロックし、メモリカードをコネクタから抜去する際には、コネクタに接続されているメモリカードを挿入方向に押し込むことで前記ロックを解除してメモリカードを取り外し可能にする（プッシュアウト）、いわゆるプッシュインプッシュアウトによるメモリカードの挿脱を行うための機構を有したものが提案されている（例えば特許文献１参照）。
すなわち、メモリカードがコネクタに接続された状態におけるメモリカードの挿入方向の位置を通常使用位置とすると、メモリカードをコネクタに装着する際（プッシュイン時）、および、メモリカードをコネクタから取り外す際（プッシュアウト時）には、いったんメモリカードが前記通常使用位置よりも挿入方向に所定寸法（例えば１ｍｍ〜２ｍｍ程度）移動され、この所定寸法は前記機構が動作するために必要となる。
また、メモリカードの接片は、データ信号送受用の接片とグランド用の接片を含み、コネクタの接続端子は、前記データ信号送受用の接片に接触するデータ信号送受用の接続端子と前記グランド用の接片に接触するグランド用の接続端子を含んでいる。
そして、メモリカードの信号ラインに対して静電ノイズが侵入してメモリカードに悪影響を及ぼすことを防止するために、メモリカードをコネクタに挿入する際には、まずメモリカードのグランド用の接片がコネクタのグランド用の接続端子に接続し、次いで、メモリカードのデータ信号送受用の接片がコネクタのデータ信号送受用の接続端子に接続することが必要であり、かつ、メモリカード１０をコネクタ５０から抜去する際には、まず、メモリカードのデータ信号送受用の接片とコネクタのデータ信号送受用の接続端子との接続を解除し、次いで、メモリカードのグランド用の接片とコネクタのグランド用の接続端子との接続を解除することが必要となる。
このため、コネクタのグランド用の接続端子は、前記挿入方向においてデータ信号送受用の接続端子よりも挿入方向の反対側に配置されている。
【特許文献１】特開２００２‐１２４３４３号公報
【発明の開示】
【発明が解決しようとする課題】
【０００３】
このように、グランド用の接続端子が前記挿入方向においてデータ信号送受用の接続端子よりも手前側に配置されていると、例えば、上述のプッシュインプッシュアウト方式によるコネクタにおいては、メモリカードの挿脱時にいったんメモリカードが前記通常使用位置よりも挿入方向に所定寸法移動された場合に、グランド用の接続端子がメモリカードの部分に近接することになる。
この際、メモリカードあるいはコネクタの寸法精度のばらつきなどによって、コネクタのグランド用の接続端子がメモリカードのケースの部分などに乗り上がってしまうと、グランド用の接続端子がグランド用の接片から離間し、グランドの接続が一時的に解除され静電ノイズがメモリカードへ悪影響を及ぼすことが懸念される。
特に、メモリカードとコネクタの間で授受されるデータの転送速度の高速化に伴ってデータ信号の数が増加してきていることから、メモリカードの限られたスペースにより多くの接片を配置することが要求されるとともに、コネクタの限られたスペースにより多くの接続端子を配置することが要求されているため、上述の不具合が生じやすくなってきている。
本発明はこのような事情に鑑みなされたものであり、その目的は、メモリカードのコネクタへの挿脱時におけるグランド用の接片とグランド用の接続端子との接続状態を安定に保ち、メモリカードの動作の安定化を図る上で有利なコネクタおよびメモリカードを提供することにある。
【課題を解決するための手段】
【０００４】
上述の目的を達成するため、本発明は、メモリカードが収容されるメモリカード収容室と、前記メモリカード収容室にメモリカードを挿脱するための挿脱口と、前記挿脱する方向と直交する方向に並べられ前記メモリカード収容室に設けられ挿入されたメモリカードの複数の接片に接触可能な複数の接続端子とを備えるコネクタであって、前記複数の接続端子は、少なくとも一つのグランド用の接続端子を含み、前記グランド用の接続端子は、前記メモリカードのグランド用の接片に接触可能な第１接触部と第２接触部とを有し、前記第１接触部は前記第２接触部に対して、前記メモリカードが挿脱する方向で前記挿脱口方向に偏位して配置され、かつ、前記第１接触部は、前記グランド用の接続端子を除いたその他の接続端子が前記メモリカードの接片に接触する接触部よりも前記メモリカードが挿脱する方向で前記挿脱口方向に偏位して配置されていることを特徴とする。
また、本発明は、メモリカードの隣り合う仕切り壁の間の接片に、前記メモリカードが挿脱される方向に間隔をおいて接触される２つの接続端子を有するコネクタに装着されるメモリカードであって、前記メモリカードの接片の前記挿脱方向に沿った長さは、前記メモリカードの前記コネクタへの装着時に、前記挿脱方向において前記接続端子が接片を乗り越えない寸法で形成されていることを特徴とする。
【発明の効果】
【０００５】
本発明のコネクタによれば、メモリカードの装着時または取り外し時に、仮に、グランド用の接続端子の第１接触部がメモリカードのケースに乗り上がったとしても、第２接触部がグランド用の接片に接触した状態が保持されているため、メモリカードの内部回路を第２接触部を介してグランドに接続された状態に確実に保持することができる。
また、本発明のメモリカードによれば、メモリカードの装着時または取り外し時に、グランド用の接片とグランド用の接続端子との接続状態を確実に保持することができる。
【発明を実施するための最良の形態】
【０００６】
本発明のコネクタでは、グランド用の接続端子が第１接触部と第２接触部とを有し、第１接触部は第２接触部に対して、メモリカードが挿脱する方向で挿脱口方向に偏位して配置されるように構成することで上記目的を実現した。
また、本発明のメモリカードでは、メモリカードの接片の挿脱方向に沿った長さを、挿脱方向において接続端子が接片を乗り越えない寸法で形成することで上記目的を実現した。
【実施例１】
【０００７】
次に本発明の実施例１について図面を参照して説明する。
まず、本発明のコネクタに装着されるメモリカードについて説明する。
図１はメモリカード１０を下方から見た底面図、図２は図１の要部拡大図、図３はメモリカード１０の接片２０とコネクタ５０の接触部７２０２の関係を示す平面図、図４はメモリカード１０の各接片に割り当てられる各信号の説明図である。
図１に示すように、メモリカード１０は、ケース１２と、ケース１２で形成される内部空間に収容されるプリント基板１４とを備えている。
メモリカード１０は、上下方向の厚さと、この厚さよりも大きな寸法の左右方向の幅と、この幅よりも大きな寸法の前後方向の長さとを有しており、この長さ方向がコネクタへ挿入される方向、すなわち挿入方向となる。
プリント基板１４はメモリを構成する部品であって、何れも不図示の絶縁基板、絶縁基板に実装されたメモリチップ、メモリチップに対するデータの入出力動作の制御などを司る制御回路を構成する電子部品、書き込み禁止用の不図示のスイッチなどを備えている。
プリント基板１４の長さ方向の一端（コネクタへの挿入方向の先部）には長さ方向と直交する方向に延在するように接片領域１８が形成され、接片領域１８には後述する複数の接片２０が設けられている。
【０００８】
ケース１２の下面１２０２の挿入方向の先部には、すなわち、接片領域１８の下方におけるケース１２の下面１２０２部分には、長さ方向に延在する複数の仕切り壁１２１０が幅方向に間隔をおいて配置され、隣り合う仕切り壁１２１０の間は長さ方向（挿入方向）に延在する開口１２１４となっている。
より詳細には、前記仕切り壁１２１０は、接片領域１８の基部１８０２から先部１８０４に延在し前記長さ方向（挿入方向）と直交する方向に間隔をおいて複数設けられている。
図２、図３に示すように、複数の仕切り壁１２１０の基端は幅方向に延在する傾斜面１２０８により連結されており、この傾斜面１２０８は下面１２０２に接続されている。
また、複数の仕切り壁１２１０の前端上面は薄肉の連結壁１２１２により連結されている。
したがって、メモリカード１０の長さ方向の先部（挿入方向の先部の下面）に、コネクタへの挿入方向と直交する方向に間隔をおいて並べられた複数の仕切り壁１２１０の間の開口１２１４に接片領域１８の部分がそれぞれ臨み、これら接片領域１８の部分が複数の接片２０となる。
【０００９】
図２に示すように、複数の接片２０は、複数の仕切り壁１２１０の間に形成され、メモリカード１０の長さ方向と直交する方向に並べられてそれぞれ前記長手方向に延在している。
すなわち、図２に示すように、複数の接片２０は第１接片２０１、第２接片２０２、第３接片２０３Ａ、第４接片２０４Ａ、第５接片２０５Ａ、第６接片２０６、第７接片２０７Ａ、第８接片２０８、第９接片２０９、第１０接片２１０、第１３接片２０３Ｂ、第１４接片２０４Ｂ、第１５接片２１５Ｂ、第１７接片２０７Ｂで構成されている。
複数の接片２０に割り当てられた機能は図４に示す通りである。
第１接片２０１と第１０接片２１０はグランドレベル（Ｖｓｓ）に接続されるグランド用の接片である。
第２接片２０２はデータ信号ＳＩＤＯ０〜ＳＩＤＯ７で通信されるデータの区切りを示すバスステート信号ＢＳが入力される接片である。
第８接片２０８はクロック信号ＳＣＬＫが入力されるクロック入力接片であり、前記バスステート信号ＢＳおよびデータ信号ＳＤＩＯ〜ＳＩＤ７はこのクロック信号ＳＣＬＫに同期して通信される。
第９接片２０９は電源Ｖｃｃが入力される電源入力接片である。
第６接片２０６は挿抜検出接片であり、前記外部装置がメモリカードの挿抜検出のために使用するＩＮＳ信号を授受するものであり、データ通信には使われない。
【００１０】
第３接片２０３Ａ、第４接片２０４Ａ、第５接片２０５Ａ、第７接片２０７Ａ、第１３接片２０３Ｂ、第１４接片２０４Ｂ、第１５接片２０５Ｂ、第１７接片２０７Ｂは８ビットのパラレル形式のデータ信号ＳＩＤＯ０〜ＳＩＤＯ７の入出力を行うデータ送受信用の接片である。
具体的に説明すると、第３接片２０３Ａはデータ信号ＳＩＤＯ１の入出力を行い、第１３接片２０３Ｂはデータ信号ＳＩＤＯ５の入出力を行う。
第４接片２０４Ａはデータ信号ＳＩＤＯ０の入出力を行い、第１４接片２０４Ｂはデータ信号ＳＩＤＯ４の入出力を行う。
第５接片２０５Ａはデータ信号ＳＩＤＯ２の入出力を行い、第１５接片２０５Ｂは、データ信号ＳＩＤＯ６の入出力を行う。
第７接片２０７Ａはデータ信号ＳＩＤＯ３の入出力を行い、第１７接片２０７Ｂは、データ信号ＳＩＤＯ７の入出力を行う。
【００１１】
本実施例では、第１接片２０１、第２接片２０２、第６接片２０６、第８接片２０８乃至第１０接片２１０は、隣り合う２つの仕切り壁１２１０の間にそれぞれ１つずつ配置されている。
また、第３接片２０３Ａと第１３接片２０３Ｂは、隣り合う２つの仕切り壁１２１０の間で挿脱方向に間隔をおいて配置されている。同様に、第４接片２０４Ａと第１４接片２０４Ｂ、第５接片２０５Ａと第１５接片２０５Ｂ、第７接片２０７Ａと第１７接片２０７Ｂも、隣り合う２つの仕切り壁１２１０の間で挿脱方向に間隔をおいて配置されている。
第８接片２０８はクロック信号ＳＣＬＫが入力されるクロック入力接片であり、前記バスステート信号ＢＳおよびデータ信号ＳＤＩＯ〜ＳＩＤ７はこのクロック信号ＳＣＬＫに同期して通信される。
第９接片２０９は電源Ｖｃｃが入力される電源入力接片である。
第６接片２０６は挿抜検出接片であり、前記外部装置がメモリカードの挿抜検出のために使用するＩＮＳ信号を授受するものであり、データ通信には使われない。
【００１２】
次に本実施例のコネクタ５０について説明する。
図５はコネクタ５０にメモリカード１０が装着された状態を示す平面図である。
図６（Ａ１）、（Ｂ１）はメモリカード１０がコネクタ５０に装着され接続位置に位置した状態を示す説明図、（Ａ２），（Ｂ２）はメモリカード１０が接続位置からさらに挿入方向に押し込まれて奥端位置に位置した状態を示す説明図である。
【００１３】
図５に示すように、コネクタ５０は、メモリカード１０が収容されるメモリカード収容室５２と、このメモリカード収容室にメモリカード１０を挿脱するための挿脱口５４と、メモリカード収容室５４に設けられ挿入されたメモリカード１０の複数の仕切り壁１２１０の間の接片２０にそれぞれ接触可能に設けられた複数の接続端子５６とを備えている。
コネクタ５０は、本実施例では、プッシュインプッシュアウト方式のコネクタであり、メモリカード収容室５２には、プッシュインプッシュアウト機構が設けられている。
プッシュインプッシュアウト機構について説明すると、メモリカード１０がコネクタ５０に装着された状態におけるメモリカード１０の挿入方向の位置を接続位置（図６（Ａ１）、（Ｂ１））とすると、メモリカード１０をコネクタ５０に装着する際（プッシュイン時）、挿脱口５４からメモリカード１０をメモリカード収容室５２に挿入しメモリカード１０を前記接続位置よりも挿入方向に所定寸法（例えば１ｍｍ〜２ｍｍ程度）離間した奥端位置（図６（Ａ２）、（Ｂ２））まで押し込んで手を離すと、メモリカード１０は接続位置に復帰され、この接続位置でロックされるように構成されている。
また、メモリカード１０をコネクタ５０から取り外す際（プッシュアウト時）には、メモリカード１０を再度奥端位置（図６（Ａ２）、（Ｂ２））まで押し込んで手を離すと、メモリカード１０はロックが解除され、メモリカード１０が挿脱口５４から突出し、取り外し可能な取り出し位置となるように構成されている。
なお、このようなプッシュインプッシュアウト機構については従来公知、周知の様々な構造を採用可能である（例えば特開２００２−１２４３４３号公報など）。
【００１４】
複数の接続端子５６は、それぞれ導電性および弾性を有する端子部材から構成されている。
複数の接続端子５６は、２つのグランド用の接続端子５８と、バスステート信号用の１つの接続端子６０と、データ信号用（データ送受信用）の８つの接続端子６２と、ＩＮＳ信号用の１つの接続端子（不図示）と、クロック信号用の１つの接続端子（不図示）と、電源用の１つの接続端子（不図示）との合計１４個の接続端子を備えている。
各接続端子５６は、メモリカード収容室５２に取着される基部５６０２と、基部５６０２から前記挿脱方向に延在する中間部５６０４と、中間部５６０４の先端に形成され接片２０に接触可能な接触部５６０６とを有している。
本実施例では、基部５６０２が挿脱口５４と反対側寄りに位置し、接触部５６０６が基部５６０２よりも挿脱口５４寄りに位置するように設けられている。
【００１５】
図５に示すように、バスステート信号用の接続端子６０は、グランド用の第１接片２０１の隣の箇所で隣り合う仕切り壁１２１０の間にバスステート信号ＢＳ用の第２接片２０２に接触可能に設けられている。
データ信号用（データ送受信用）の２つの接続端子６２Ａ、接続端子６２Ｂは、隣り合う仕切り壁１２１０の間の接片２０３Ａ，２０３Ｂに接触可能に設けられ、接続端子６２Ｂの接触部５６０６（特許請求の範囲の第４接触部に相当）は、接続端子６２Ａの接触部５６０６（特許請求の範囲の第３接触部に相当）よりも挿脱口５４寄りに偏位している。
同様に、データ信号用（データ送受信用）の２つの接続端子６２Ａ、６２Ｂは、隣り合う仕切り壁１２１０の間の接片２０４Ａ，２０４Ｂに接触可能に設けられている。
同様に、データ信号用（データ送受信用）の２つの接続端子（不図示）は、隣り合う仕切り壁１２１０の間の接片２０５Ａ，２０５Ｂ（図４参照）に接触可能に設けられている。
ＩＮＳ信号用の接続端子５６（不図示）は、隣り合う仕切り壁１２１０の間の第６接片２０６に接触可能に設けられている。
ＩＮＳ信号用の接続端子５６の隣のデータ信号用（データ送受信用）の２つの接続端子（不図示）は、隣り合う仕切り壁１２１０の間の接片２０７Ａ，２０７Ｂ（図４参照）に接触可能に設けられている。
クロック信号用の接続端子５６（不図示）は、隣り合う仕切り壁１２１０の間のクロック入力接片である第８接片２０８と接触可能に設けられている。
電源用の接続端子５６（不図示）は、隣り合う仕切り壁１２１０の間の電源入力接片である第９接片２０９と接触可能に設けられている。
【００１６】
図５に示すように、２つのグランド用の接続端子５８のうちの一方のグランド用の接続端子５８は、メモリカード１０のグランド用の接片である第１接片２０１に接触可能な第１接触部５８Ａと第２接触部５８Ｂとを有している。図示しないが、他方のグランド用の接続端子５８も、同様にメモリカード１０のグランド用の接片である第１０接片２１０に接触可能な第１接触部５８Ａと第２接触部５８Ｂとを有している。
第１接触部５８Ａは第２接触部５８Ｂに対して、メモリカード１０が挿脱する方向で挿脱口５４方向に偏位して配置されている。
また、第１接触部５８Ａは、２つのグランド用の接続端子５８を除いたその他の接続端子５６がメモリカード１０の接片に接触する接触部よりもメモリカード１０が挿脱する方向で挿脱口５４方向に偏位して配置されている。
本実施例では、図５に示すように、第１接触部５８Ａは、バスステート信号用の接続端子６０の接触部５６０６、データ信号用の接続端子６２Ｂの接触部５６０６、ＩＮＳ信号用の接続端子の接触部５６０６、クロック信号用の接続端子の接触部５６０６、電源用の接続端子の接触部５６０６よりもメモリカード１０が挿脱する方向に偏位して配置されており、具体的には、バスステート信号用の接続端子６０の接触部５６０６、ＩＮＳ信号用の接続端子の接触部５６０６、クロック信号用の接続端子の接触部５６０６、電源用の接続端子の接触部５６０６よりも挿脱口５４方向に寸法Ｌ１だけ偏位して配置されている。
また、第２接触部５８Ｂは、バスステート信号用の接続端子６０の接触部５６０６、データ信号用の接続端子６２Ａの接触部５６０６、ＩＮＳ信号用の接続端子の接触部５６０６、クロック信号用の接続端子の接触部５６０６、電源用の接続端子の接触部５６０６よりもメモリカード１０が挿脱する方向と反対側に偏位して配置されており、具体的には、データ信号用（データ送受信用）の接続端子６２Ｂの接触部５６０６よりも挿脱口５４方向に寸法Ｌ２だけ偏位して配置されている。
また、本実施例では、第１接触部５８Ａと第２接触部５８Ｂは、メモリカード１０の挿脱方向に間隔をおきかつメモリカード１０が挿脱する方向と直交する方向において異なった箇所に配置され、第１接触部５８Ａと第２接触部５８Ｂは、単一の接続端子５８に設けられている。
また、本実施例では、グランド用の接続端子５８は、単一の端子構成部材により構成されており、端子構成部材は単一の基部５６０２と、前記挿脱方向と間隔をおき基部５６０２から互いに平行して延在する中間部５６０４と、中間部５６０４の先端に形成された接触部５６０６（第１接触部５８Ａと第２接触部５８Ｂ）とを有している。
また、本実施例では、図６に示すように、第１接触部５８Ａおよび第２接触部５８Ｂは、メモリカード１０のグランド用の第１接片２０１あるいは第１０接片２１０に向けて凸状に湾曲または屈曲されて形成されている。
【００１７】
次に作用について説明する。
まず、メモリカード１０をコネクタ５０に装着する動作について説明する。
メモリカード１０をコネクタ５０のメモリカード収容室５２に挿入して押し込むと、２つのグランド用の接続端子５８の第１接触部５８Ａは、２つのグランド用の接続端子５８を除いたその他の接続端子５６がメモリカード１０の接片に接触する接触部よりもメモリカード１０が挿脱する方向で挿脱口５４方向に偏位して配置されていることから、図５、図６（Ａ１）、（Ｂ１）に示すように、グランド用の接続端子５８の第１接触部５８Ａがグランド用の接続端子５８を除く他の接続端子５６よりも先行してグランド用の第１接片２０１および第１０接片２１０に接触する。これにより、メモリカード１０の内部回路がグランド用の接続端子５８の第１接触部５８Ａを介してグランドに接続される。
さらなるメモリカード１０の押し込みにより、グランド用の接続端子５８を除く他の接続端子５６が各接片２０（第２〜第９接片２０２〜２０９）に接触するとともに、グランド用の接続端子５８の第１接触部５８Ａに加えて第２接触部５８Ｂもグランド用の第１接片２０１および第１０接片２１０に接触する。
メモリカード１０は前記接続位置を過ぎて奥端位置に押し込まれ、奥端位置まで押し込んで手を離すと、メモリカード１０は図６（Ａ１）、（Ｂ１）に示す接続位置に復帰され、グランド用の接続端子５８の第１接触部５８Ａ、第２接触部５８Ｂの双方が、他の接続端子５６と同様にグランド用の第１接片２０１および第１０接片２１０に接触した状態となり、この接続位置でロックされる。
【００１８】
次に、メモリカード１０をコネクタ５０から取り外す動作について説明する。
接続位置にあるメモリカード１０を奥端位置まで押し込んで手を離すと、メモリカード１０はロックが解除され、メモリカード１０が接続位置を経由して挿脱口５４から突出し取り出し位置まで動かされる。この際、２つのグランド用の接続端子５８の第１接触部５８Ａは、２つのグランド用の接続端子５８を除いたその他の接続端子５６がメモリカード１０の接片に接触する接触部よりもメモリカード１０が挿脱する方向で挿脱口５４方向に偏位して配置されていることから、グランド用の接続端子５８の第１接触部５８Ａとグランド用の第１接片２０１および第１０接片２１０との接触が解除されることに先行してグランド用の接続端子５８を除く他の接続端子５６と各接片２０との接触が解除される。
すなわち、メモリカード１０の内部回路がグランド用の接続端子５８の第１接触部５８Ａを介してグランドに接続された状態が解除されることに先行してグランド用の接続端子５８を除く他の接続端子５６と各接片２０との接触が解除される。
【００１９】
本実施例のコネクタ５０によれば、グランド用の接続端子を、前記メモリカードのグランド用の接片に接触可能でメモリカードの挿脱方向に間隔をおいた第１接触部と第２接触部とで構成し、第１接触部を、前記グランド用の接続端子を除いたその他の接続端子が前記メモリカードの接片に接触する接触部よりも前記メモリカードが挿脱する方向で前記挿脱口方向に偏位して配置したので、グランド用の接続端子をその他の接続端子よりも先行して接片に接触させることができるとともに、一番最後に接片から離間させることができる。
したがって、メモリカード１０の内部回路とグランドとの接続が一時的に解除されて静電ノイズなどがグランド用の接続端子５８を除く他の接続端子５６から接片２０を介してメモリカード１０の内部回路に侵入して悪影響を及ぼすことを確実に防止でき、メモリカード１０の動作の安定化を図る上で有利となる。
また、グランド用の接続端子５８が第１接触部５８Ａおよび第２接触部５８Ｂの２つの接触部を介してグランド用の接片（第１接片２０１、第１０接片２１０）に接触する  したがって、仮に、メモリカード１０の装着時に、図６（Ａ２），（Ｂ２）に示すように、メモリカード１０が前記接続位置から奥端位置に至った際に、グランド用の接続端子５８の第１接触部５８Ａがメモリカード１０のケース１２の斜面１２０８に当接して乗り上がった場合であっても、第２接触部５８Ｂがグランド用の第１接片２０１および第１０接片２１０に接触した状態が保持されているため、メモリカード１０の内部回路をグランド用の接続端子５８の第２接触部５８Ｂを介してグランドに接続された状態に確実に保持することができる。
同様に、メモリカード１０の取り外し時に、図６（Ａ２），（Ｂ２）に示すように、接続位置にあるメモリカード１０が奥端位置に至った際に、グランド用の接続端子５８の第１接触部５８Ａがメモリカード１０のケース１２の斜面１２０８に当接して乗り上がった場合でも、グランド用の接続端子５８の第２接触部５８Ｂがグランド用の第１接片２０１および第１０接片２１０に接触した状態が保持されているため、メモリカード１０の内部回路をグランド用の接続端子５８の第２接触部５８Ｂを介してグランドに接続された状態に確実に保持することができる。
ことによって接触抵抗を低減することができるため、メモリカード１０とコネクタ５０の間で授受される各信号の品質を向上することができ、これら各信号の高速化を図る上で有利となる。
特に、隣り合う仕切り壁１２１０の間に単一の接続端子のみを設けるコネクタに比べて、本実施例のように、隣り合う仕切り壁１２１０の間に、メモリカード１０の挿脱方向に間隔をおいてデータ信号用の接続端子を２つ設ける場合、グランド用の接続端子５８の接触部は、挿脱口５４方向に近づき、グランド用の接続端子５８は奥端位置においてケース１２の斜面１２０８に乗り上がりやすくなるため、グランド用の接続端子５８の接触状態を維持するため本発明は特に有効となる。
【００２０】
なお、本実施例では、第１接触部５８Ａと第２接触部５８Ｂは、メモリカード１０が挿脱する方向と直交する方向において異なった箇所に配置されている場合について説明したが、第１接触部５８Ａと第２接触部５８Ｂは、メモリカード１０が挿脱する方向に延在する仮想の同一直線上に並べられて配置されていてもよい。
また、本実施例では、第１接触部５８Ａと第２接触部５８Ｂは、単一の端子構成部材で構成されている場合について説明したが、第１接触部５８Ａと第２接触部５８Ｂは、別々の端子構成部材で構成されていてもよい。
さらに、メモリカード１０の装着時および取り外し時に、メモリカード１０が前記接続位置から奥端位置に至った際に、グランド用の接続端子５８の第１接触部５８Ａがメモリカード１０のケース１２の斜面１２０８に当接して乗り上がることを阻止するため、挿脱方向に沿ったメモリカード１０の開口の長さおよび接片２０の長さを拡大するようにしてもよい。すなわち、メモリカード１０の接片２０の挿脱方向に沿った長さを、メモリカード１０のコネクタ５０への装着時に、挿脱方向において各接続端子５６が接片２０を乗り越えない寸法で形成するようにしてもよい。
また、コネクタ５０は、コードの先端に設けられる場合や、機器に設けられる場合などその用途は任意である。
【００２１】
次に、本発明のコネクタ５０に対して従来例のコネクタを比較例として説明する。
図７（Ａ１）、（Ｂ１）はメモリカード１０が従来例のコネクタ５０Ａに装着され接続位置に位置した状態を示す説明図、（Ａ２），（Ｂ２）はメモリカード１０が接続位置からさらに挿入方向に押し込まれて奥端位置に位置した状態を示す説明図である。
従来例のコネクタ５０は、図７（Ａ１）に示すように、コネクタ５０Ａのグランド用の接続端子５８が単一の接触部５８Ｃのみを有している点が実施例のコネクタ５０と相違しており、他の点は実施例のコネクタとほぼ同様である。
したがって、他の接続端子の構成によっては図７（Ａ２）に示すように、メモリカード１０が奥端位置に位置した際に、グランド用の接続端子５８の接触部５８Ｃは、メモリカード１０のケース１２の斜面１２０８に当接して乗り上がり、この接触部５８Ｃとグランド用の第１接片２０１および第１０接片２１０との接触が一時的に解除されてしまう可能性がある。
したがって、従来例の場合には、メモリカード１０の内部回路とグランドとの接続が一時的に解除されて静電ノイズなどがグランド用の接続端子５８を除く他の接続端子５６から接片２０を介してメモリカード１０の内部回路に侵入して悪影響を及ぼすおそれが生じるが、本実施例ではこのような不都合を確実に回避することができる。
【００２２】
特に、メモリカード１０とコネクタ５０の間で授受されるデータの転送速度の高速化に伴ってデータ信号の数が増加してきていることから、本実施例では、メモリカード５０のデータ信号入出力接片としての第３接片２０３Ａと第１３接片２０３Ｂが、隣り合う２つの仕切り壁１２１０の間で挿脱方向に間隔をおいて配置され、同様に第４接片２０４Ａと第１４接片２０４Ｂ、第５接片２０５Ａと第１５接片２０５Ｂ、第７接片２０７Ａと第１７接片２０７Ｂも、隣り合う２つの仕切り壁１２１０の間で挿脱方向に間隔をおいて配置され、これにより８ビットのデータを入出力できるようにしている。
したがって、第３接片２０３Ａと第１３接片２０３Ｂ、第４接片２０４Ａと第１４接片２０４Ｂ、第５接片２０５Ａと第１５接片２０５Ｂ、第７接片２０７Ａと第１７接片２０７Ｂに対応して、データ信号用（データ送受信用）の接続端子６２をメモリカード１０の挿脱方向に間隔をおいた２箇所に設けるので、メモリカード１０を挿脱する方向におけるスペースに余裕が無くなる。
したがって、メモリカード１０をコネクタ５０に装着する際に、グランド用の接続端子がそれらに対応するメモリカード１０の接片２０に接触することに先行して、単一のグランド用の接続端子がグランド用の接片に接触するようにグランド用の接続端子を前記挿脱方向に余裕の無いスペースに配置すると、上述のような不都合が生じることになるが、本実施例によればこのような不都合を効果的に防止することができる。
【実施例２】
【００２３】
次に本発明の実施例２について図面を参照して説明する。
図８（Ａ），（Ｂ）はメモリカード１０が実施例２のコネクタ５０に装着され接続位置に位置した状態を示す説明図である。
実施例２は実施例１の変形例であり、実施例２が実施例１と異なるのは、実施例１の２つのグランド用の接続端子５８と８つのデータ信号用の接続端子６２は、基端部５６０２が接触部よりも挿脱口５４と反対側の箇所寄りに位置するようにメモリカード収容室５２に組み込まれて保持されているのに対して、実施例２の２つのグランド用の接続端子５８と８つのデータ信号用の接続端子６２は、図８に示すように、基端部５６０２が接触部よりも挿脱口５４寄りの箇所に位置するようにメモリカード収容室５２に組み込まれて保持されている点であり、その他は実施例１と同様である。
このような実施例２においても実施例１と同様の作用効果を奏する。
【実施例３】
【００２４】
次に本発明の実施例３について図面を参照して説明する。
図９（Ａ），（Ｂ）はメモリカード１０が実施例３のコネクタ５０に装着され接続位置に位置した状態を示す説明図である。
実施例３も実施例１の変形例であり、実施例３が実施例１と異なるのは、実施例１の２つのグランド用の接続端子５８と８つのデータ信号用の接続端子６２は、基端部５６０２が接触部よりも挿脱口５４と反対側の箇所寄りに位置するようにメモリカード収容室５２に組み込まれて保持されているのに対して、実施例３の２つのグランド用の接続端子５８と８つのデータ信号用の接続端子６２は、図９に示すように、一方の接続端子の基端部５６０２が接触部よりも挿脱口５４と反対側の箇所寄りに位置し、かつ、他方の接続端子の基端部５６０２が接触部よりも挿脱口５４寄りの箇所に位置するようにメモリカード収容室５２に組み込まれて保持されている点であり、その他は実施例１と同様である。
このような実施例３においても実施例１と同様の作用効果を奏する。
また、接触部を含むグランド用の接続端子５８の構造は種々考えられ、例えば、図１０に示すように、単一の端子構成部材の延在方向の両端を基部とし、基部の間の中間部に第１、第２接触部５８Ａ，５８Ｂを設けるようにしてもよい。
【図面の簡単な説明】
【００２５】
【図１】メモリカード１０を下方から見た底面図である。
【図２】図１の要部拡大図である。
【図３】メモリカード１０の接片２０とコネクタ５０の接触部７２０２の関係を示す平面図である。
【図４】メモリカード１０の各接片に割り当てられる各信号の説明図である。
【図５】コネクタ５０にメモリカード１０が装着された状態を示す平面図である。
【図６】（Ａ１）、（Ｂ１）はメモリカード１０がコネクタ５０に装着され接続位置に位置した状態を示す説明図、（Ａ２），（Ｂ２）はメモリカード１０が接続位置からさらに挿入方向に押し込まれて奥端位置に位置した状態を示す説明図である。
【図７】（Ａ１）、（Ｂ１）はメモリカード１０が従来例のコネクタ５０Ａに装着され接続位置に位置した状態を示す説明図、（Ａ２），（Ｂ２）はメモリカード１０が接続位置からさらに挿入方向に押し込まれて奥端位置に位置した状態を示す説明図である。
【図８】（Ａ），（Ｂ）はメモリカード１０が実施例２のコネクタ５０に装着され接続位置に位置した状態を示す説明図である。
【図９】（Ａ），（Ｂ）はメモリカード１０が実施例３のコネクタ５０に装着され接続位置に位置した状態を示す説明図である。
【図１０】グランド用の接続端子５８の変形例を示す説明図である。
【符号の説明】
【００２６】
１０……メモリカード、５２……メモリカード収容室、５４……挿脱口、２０……接片、５８……グランド用の接続端子、５８Ａ……第１接触部、５８Ｂ……第２接触部。
【図１】
2006156030.tif 000003
【図２】
2006156030.tif 000004
【図３】
2006156030.tif 000005
【図４】
2006156030.tif 000006
【図５】
2006156030.tif 000007
【図６】
2006156030.tif 000008
【図７】
2006156030.tif 000009
【図８】
2006156030.tif 000010
【図９】
2006156030.tif 000011
【図１０】
2006156030.tif 000012